(57)【要約】【課題】顧客と業者との間で物品及び娯楽に関する情報をリアルタイムにやりとり可能な物品及び娯楽のマッチングエンジンシステムを提供すること。【解決手段】顧客が通信端末で撮影した物品の画像データ及び／又はその物品の仕様に関するデータを管理サーバに送信すると、この管理サーバが、これらのデータをデータベースサーバ内に記憶し、同時にその物品の買取り価格及び／又はその他の必要な情報等をその顧客の通信端末に送信する手段と、顧客の通信端末を通じて管理サーバにアクセスして希望する物品の仕様に関する情報をこの管理サーバに送信すると、管理サーバが、その入力した情報に合致した物品及び／又はその物品を出品している所在地に関する情報をこのデータベースサーバ内で検索し、その検索結果をこの通信端末上に即座に表示し、顧客がその物品を購入したいときは、その物品の申込み手続きをこの通信端末で行う手段とによって解決される。【選択図】　　図２
2004078530.tif 000002
【特許請求の範囲】
【請求項１】
顧客の通信端末（１−１〜１−ｎ）と業者のマッチングエンジンマッチングエンジン管理サーバ（３）及びデータベースサーバ（４）とをネットワーク接続して業者と顧客との間で物品及び娯楽に関する情報をリアルタイムにマッチングしたデータのみをやりとりする物品及び娯楽のマッチングエンジンシステムにおいて、
顧客が画像記録装置又は通信端末（１−１〜１−ｎ）で撮影した売却を希望する物品の画像データ及び／又はその物品の仕様に関するデータをマッチングエンジンマッチングエンジン管理サーバ（３）に送信すると、このマッチングエンジンマッチングエンジン管理サーバ（３）が、これらのデータをデータベースサーバ（４）内に記憶し、同時にその物品の買取り価格及び／又はその他の必要な情報及び／又はタイムリーに役立つ情報をその顧客の通信端末（１−１〜１−ｎ）に送信する手段と、
顧客の通信端末（１−１〜１−ｎ）を通じてマッチングエンジン管理サーバ（３）にアクセスして希望する物品の仕様に関する情報及び／又は希望する娯楽に関する情報をこのマッチングエンジン管理サーバ（３）に送信すると、マッチングエンジンマッチングエンジン管理サーバ（３）が、その入力した情報に合致した物品及び娯楽の情報及び／又はその物品を出品している所在地に関する情報及び／又は娯楽の提供所在地に関する情報をこのデータベースサーバ（４）内で検索し、その検索結果をこの通信端末（１−１〜１−ｎ）上に即座に表示し、顧客がその物品を購入したいとき及び／又はその娯楽に関する役務を提供されたいときは、その物品及び／娯楽の申込み手続きをこの通信端末（１−１〜１−ｎ）で行う手段とを特徴とするマッチングエンジンシステム。
【請求項２】
画像情報，その物品の仕様に関する情報及び／又はタイムリーに役立つ情報は、全国各地に点在する多数の顧客の通信端末（１−１〜１−ｎ）を通じてリアルタイムにマッチングエンジン管理サーバ（３）へ送信され、データベースサーバ（４）内にその都度記憶されることを特徴とする請求項１に記載の物品及び娯楽のマッチングエンジンシステム。
【請求項３】
所在地に関する情報は、その所在地の住所，店名，電話番号，ホームページのアドレス及びその所在地を示した地図のうちの少なくとも１つであることを特徴とする請求項１又は２に記載の物品及び娯楽のマッチングエンジンシステム。
【請求項４】
通信端末（１−１〜１−ｎ）は、データ通信機能及び小型カメラ又はデータ通信機能若しくは小型カメラを備えた携帯電話であることを特徴とする請求項１に記載の物品及び娯楽のマッチングエンジンシステム。
【請求項５】
画像データは、顧客の画像記録装置によって撮影された画像を通信端末（１−１〜１−ｎ）に取り込み、その取り込まれた画像データをこの通信端末（１−１〜１−ｎ）によって送信された情報であることを特徴とする請求項１に記載の物品及び娯楽のマッチングエンジンシステム。
【請求項６】
画像記録装置は、デジタルカメラであることを特徴とする請求項５に記載の物品及び娯楽のマッチングエンジンシステム。
【請求項７】
各通信端末（１−１〜１−ｎ）及び各サーバ（３，４）は、高速で大容量の通信回線（ａ，ｂ）を通じてネットワーク化されていることを特徴とする請求項１に記載の物品及び娯楽のマッチングエンジンシステム。
【請求項８】
１つの物品の売買支援システムは、少なくとも１つの別の物品の売買支援システムとネットワーク接続可能であることを特徴とする請求項１〜７のいずれか１項に記載の物品及び娯楽のマッチングエンジンシステム。
【請求項９】
物品は、中古車であることを特徴とする請求項１〜８のいずれか１項に記載の物品及び娯楽のマッチングエンジンシステム。
【発明の詳細な説明】
【０００１】
【発明の属する技術分野】
本発明は、顧客の通信端末と業者のマッチングエンジンマッチングエンジン管理サーバ及びデータベースサーバとをネットワーク接続して業者と顧客との間で物品及び娯楽に関する情報をリアルタイムにマッチングしたデータのみをやりとりする物品及び娯楽のマッチングエンジンシステムに関する。
【０００２】
【従来の技術】
現在、インターネットを利用して物品を売買したりレジャー，カルチャー，スポーツ等の娯楽に対する役務を提供されたりすることが広く行われている。例えば、顧客が、ネットワーク上に出店されている仮想商店に携帯電話やパーソナルコンピュータ等の通信端末を通じてアクセスし、そこに出品されている物品から希望する物品を指定したり、各種の役務に対してチケットを申し込んで、電子決済することが行われている。
【０００３】
また、使用していた物品を仮想商店を運営している業者に売却を希望する顧客が、その物品に関する情報を通信端末を通じてその業者に送信することも行われている（いわゆるリサイクルビジネス）。
【０００４】
しかしながらこのような仮想商店では、顧客が希望する物品又は役務を即座に検索することはできなかった。また、業者に売却を希望する物品の画像データを送ることはできなかった。
【０００５】
【発明が解決しようとする課題】
本発明の課題は、顧客と業者との間で物品及び娯楽に関する情報をリアルタイムにやりとり可能な物品及び娯楽のマッチングエンジンシステムを提供することにある。
【０００６】
【課題を解決するための手段】
この課題は、顧客が画像記録装置又は通信端末で撮影した売却を希望する物品の画像データ及び／又はその物品の仕様に関するデータをマッチングエンジン管理サーバに送信すると、このマッチングエンジン管理サーバが、これらのデータをデータベースサーバ内に記憶し、同時にその物品の買取り価格及び／又はその他の必要な情報及び／又はタイムリーに役立つ情報をその顧客の通信端末に送信する手段と、
顧客の通信端末を通じてマッチングエンジン管理サーバにアクセスして希望する物品の仕様に関する情報及び／又は希望する娯楽に関する情報をこのマッチングエンジンマッチングエンジン管理サーバに送信すると、マッチングエンジン管理サーバが、その入力した情報に合致した物品及び娯楽の情報及び／又はその物品を出品している所在地に関する情報及び／又は娯楽の提供所在地に関する情報をこのデータベースサーバ内で検索し、その検索結果をこの通信端末上に即座に表示し、顧客がその物品を購入したいとき及び／又はその娯楽に関する役務を提供されたいときは、その物品及び／娯楽の申込み手続きをこの通信端末で行う手段とによって解決される。
【０００７】
【発明の実施の形態】
以下に、本発明の物品及び娯楽のマッチングエンジンシステムの実施の形態を中古車を例に挙げ図面に基づいて詳しく説明する。
【０００８】
図１は、特定のライセンス取得会社が管理するマッチングエンジン管理サーバ３及び雑誌社等のメディアのデータベースサーバ４、並びに全国各地に住んでいる一般の顧客及び中古車販売業者の通信端末１−１〜１−ｎ，２をネットワーク接続して物品及び娯楽に関する情報をリアルタイムに合致したデータのみをやりとりする本発明の物品及び娯楽のマッチングエンジンシステムを示す。
【０００９】
通信端末１−１〜１−ｎ，２は、例えばデータ通信機能を備えた小型カメラ付きの携帯電話やＰＤＡのようなモバイル，パーソナルコンピュータ，テレビ端末等の通信機器である。データベースサーバ４内には、現在売りに出されている中古車に関する情報が記憶されている。すなわち、中古車販売業者や全国各地に点在して住んでいる不特定多数の顧客が、通信端末１−１〜１−ｎ，２を通じて常時データベースサーバ４に物品やレジャー，カルチャー，スポーツ等の娯楽に関する情報を送信するので、リアルタイムの、すなわち最新の情報がこのデータベースサーバ４内に常に大量に記憶されている。そして、売れた物品又は娯楽に関する情報は、瞬時に消去され、結果ポイントの低い情報や不正確な情報は、その都度消去される。マッチングエンジン管理サーバ３が、これらの情報の入出力及び消去を管理する。
【００１０】
各通信端末１−１〜１−ｎ及び各サーバ３，４は、ＡＤＳＬや光ファイバのような高速で大容量のインターネット環境を実現する通信回線ａ，ｂを通じてネットワーク接続されている。
【００１１】
図２は、図１の物品及び娯楽のマッチングエンジンシステムの下で通信端末１−１〜１−ｎを使用して、希望する中古車をオペレーションリサーチしてマッチングしたデータだけを瞬時にレスポンスする手順の一例を示す。
【００１２】
希望の中古車のマッチングデータを入手しようとする顧客（買手）が、サイトスティック又はクイックアクセスを携帯電話に差込むか、ＩＤを入力するか、サイトのホームページアドレスを入力するか、又は公式のサイトにアクセスして、ネットワーク下にある仮想商店のデータベースサーバ４にアクセスする（▲１▼）。そのサイトが表示されたら、希望する中古車の仕様に関する情報をサイト画面中の項目（メーカー，車名，走行距離等）にしたがって入力する（▲２▼）。入力した情報に合致した中古車情報、例えば「お探しの車は○○町の○○店にあります。」のような情報及びオペレーションリサーチした中古車が出品されている店舗名，その店舗の住所・電話番号・ホームページのアドレス・その店舗を示した地図等の売買に必要な情報が即座に表示される（▲３▼）。顧客が表示された中古車を購入したいときは、顧客の電話番号等の購入申込みに必要な情報を通信端末１−１〜１−ｎを通じてマッチングエンジンのマッチングエンジン管理サーバ３へ送信する（▲４▼）。その後、この中古車の購入依頼に対するその店舗からの回答が、電子メール等の通信手段によってその顧客に連絡される。
【００１３】
なお、入力した情報の条件に対して合ったマッチングデータが存在しなかったときは、それらの情報を入力した顧客のデータが、潜在顧客として、例えばデータベースサーバ４中にストックリストとして記憶される。
【００１４】
したがって、顧客は、店舗へわざわざ出向かなくても通信端末１−１〜１−ｎを使用することによって任意の時間に任意の場所からその中古車に関する情報を検索して、希望する場合にはその中古車を購入することができる。すなわち、中古車が中古車雑誌に数週間後に掲載される前でも、顧客は、リサーチ時点に存在する膨大な数のこれらの中古車の在庫の中から希望する中古車をリアルタイムに購入することができる。
【００１５】
これとは逆に顧客が所有している中古車を業者に買い取ってもらうることも、本発明の物品の物品及び娯楽のマッチングエンジンシステムによって容易に行うことができる。この場合、顧客（売手）自身が、デジタルカメラのような画像記録装置でその中古車を撮影し、その画像を通信端末１−１〜１−ｎ、例えばパーソナルコンピュータに取り込むか、又はデータ通信機能を備えた小型カメラ付きの携帯電話でその中古車を撮影し、この画像データをその中古車に関する必要なデータ（例えば、メーカー名，車名，色，走行距離，予算等）と共にインターネット等の通信手段を介して物品及び娯楽のマッチングエンジンシステムのマッチングエンジン管理サーバ３へ任意の時間に任意の場所から送信する。
【００１６】
所定の情報を送信すると、マッチングエンジンのマッチングエンジン管理サーバ３が、その売却を希望する中古車の買取り価格を評価査定する。この買取り評価査定は、必要な連絡事項と一緒に電子メール等で近くの中古車買取店に知らされる。価格は、マッチングエンジン管理サーバ３がデータベースサーバ４中に記憶されている中古車に関するデータを分析して、査定評価価格を決定してもよいし、又は近くの中古車買取り店が決定してもよい。
【００１７】
なお、これらの説明した物品の購入及び買取りの際の支払いは、本発明の物品及び娯楽のマッチングエンジンシステムを通じて完全に電子決済で行ってもよいし、又は業者が書類で事務的に行ってもよい。マッチングエンジンのアクセス料金の回収は、通信会社の公式サイト，勝手サイト，プリペイド及び書類で事務的に行ってもよい。
【００１８】
また、１つの物品及び娯楽のマッチングエンジンを少なくとも１つの別の物品及び娯楽のマッチングエンジンとネットワーク接続すれば、市場の規模がさらに拡大する。
【００１９】
なお、マッチングデータの精度の向上は、次世代型の電子頭脳によって解決される。
【００２０】
以上の説明では中古車を例に説明したが、本発明の物品及び娯楽のマッチングエンジンシステムは、その他のあらゆる物品、例えば新車，新古車，パーツ，船舶，住宅，コンパクトディスク等、及びその他のあらゆる娯楽、例えばレジャー，スポーツ，カルチャー等にも適用可能である。
【００２１】
【発明の効果】
以上により、本発明の物品の売買支援システムは、以下の有利な効果を奏する：
・全国に点在して出品されている非常に多くの物品や娯楽の最新情報をリアルタイムにオペレーションリサーチしてマッチングデータを迅速にレスポンスできるので、買手の希望に合致した物品や娯楽を瞬時に見つけ出す確率が非常に高い。・物品の仕様に関する情報のほかに画像情報も送信できるので、業者がその物品の評価査定価格をより的確に決めることができ、買手も物品に関してより的確な情報を得ることができる。
・携帯電話を通信端末として使用しているので、顧客は物品の売買を任意の時間に任意の場所で実行できる。
【図面の簡単な説明】
【図１】本発明の物品及び娯楽のマッチングエンジンシステムを示す。
【図２】図１の物品の物品及び娯楽のマッチングエンジンシステムの下で通信端末を使用して、希望する物品をオペレーションリサーチしてマッチングデータを迅速にレスポンスする手順の一例を示す。
【符号の説明】
１−１〜１−ｎ　　顧客の通信端末
２　　中古車販売業者の通信端末
３　　マッチングエンジン管理サーバ
４　　データベースサーバ
６　　サイトスティック（商標登録）又はクイックアクセス（商標登録）
７　　顧客の通信端末
ａ〜ｃ　　通信回線
【図１】
2004078530.tif 000003
【図２】
2004078530.tif 000004